(57)【要約】【課題】コストアップを、さほど生じることなく、治療効果を上げ得るアーク治療器を提供する。【解決手段】反射鏡３の凹面部前方に支持体２０に備え、この支持体２０に支持された保持部１８，１９にそれぞれ保持された電極棒１６，17間に高圧電流を流し、アークを発生させ、アーク光を患部に照射させて治療するアーク治療器において、電極棒１６，１７の少なくとも何れかに、ゲルマニュウム粉末を１〜５％含む混合粉末を焼結させてなる電極棒を使用する。【選択図】  図２
0003110522.tif 000002
【実用新案登録請求の範囲】
【請求項１】
一対の電極棒間に高圧電流を流して、アークを発生させ、このアーク光を生体局部に照射して治療を行うアーク治療器において、少なくとも一方の電極棒を、粉末部材を焼結させて形成するものであり、粉末部材にゲルマニュウム粉末を混在させたものであることを特徴とするアーク治療器。
【請求項２】
前記粉末部材は、前記ゲルマニュウムの他に炭素粉末を含むことを特徴する請求項１記載のアーク治療器。
【請求項３】
前記粉末部材は、前記ゲルマニュウムの他に銀粉末を含むことを特徴する請求項１記載のアーク治療器。
【請求項４】
前記前記粉末部材は、前記ゲルマニュウムの他にタングステン粉末を含むことを特徴する請求項１記載のアーク治療器。
【請求項５】
前記ゲルマニュウムは、全体の１％〜５％の含有率であることを特徴する請求項１記載、請求項２、請求項２、請求項３又は、請求項４記載のアーク治療器。
【請求項６】
交換用の電極棒として、前記ゲルマニュウム粉末と炭素粉末を含む電極棒、前記ゲルマニュウム粉末と銀粉末を含む電極棒、及び前記ゲルマニュウム粉末とタングステン粉末を含む電極棒を備え、これらの電極棒の１つを、一方の電極として使用することを特徴とする請求項１記載のアーク治療器。
【考案の詳細な説明】
【技術分野】
【０００１】
この考案は、アーク治療器、特に電極棒に特徴を有するアーク治療器に関する。
【背景技術】
【０００２】
一般に、一対の炭素電極棒に、高電圧を印加し、炭素電極棒の先端で、アーク光を発生させ、このアーク光を患部に照射して、治療を行うアーク治療器がよく知られている（例えば特許文献１、特許文献２参照）
【特許文献１】特開平５−９６０１７号公報
【特許文献２】特開平８−１８７２９９号公報
【考案の開示】
【考案が解決しようとする課題】
【０００３】
上記した、従来のアーク治療器の炭素電極棒は、炭素（カーボン）粉末を焼結したものを、使用している。製品としては、主としてコスト面から、現状は比較的安価に入手できる炭素電極棒が使用されている。
【０００４】
ところで、ゲルマニュウム（Ｇｅ）のマイナスイオンの発生によって、皮膚の若さと美貌の活性化を実現可能なことが確認されるに至っている。しかし、ゲルマニュウム（Ｇｅ）は、炭素に比し高価なこともあって、これを、アーク治療に利用することについては、なんらの開示もなされていない。
【０００５】
この考案は、上記問題点に着目してなされたものであって、ゲルマニュウム（Ｇｅ）の治療効果を、コストアップをさほど生じることなく活用するアーク治療器を提供することを目的とする。
【課題を解決するための手段】
【０００６】
この考案のアーク治療器は、一対の電極棒間に高圧電流を流して、アークを発生させ、このアーク光を生体局部に照射して治療を行うアーク治療器において、少なくとも一方の電極棒を、粉末部材を焼結させて形成するものであり、粉末部材にゲルマニュウム粉末を混在させたものであることを特徴とする。
【０００７】
この考案において、前記粉末部材は、前記ゲルマニュウムの他に炭素粉末を含むことが出来る。
【０００８】
また、この考案において、前記粉末部材は、前記ゲルマニュウムの他に銀粉末を含むことができる。
【０００９】
また、この考案において、前記粉末部材は、前記ゲルマニュウムの他にタングステン粉末を含むことができる。
【００１０】
また、この考案において、前記ゲルマニュウムは、全体の１％〜５％の含有率のものを使用すると良い。
また、この考案において、電極棒として、前記ゲルマニュウム粉末と炭素粉末を含む電極棒、前記ゲルマニュウム粉末と銀粉末を含む電極棒、及び前記ゲルマニュウム粉末とタングステン粉末を含む電極棒を備え、これらの電極棒の１つを、一方の電極として使用することが出来る。
【考案の効果】
【００１１】
この考案によれば、比較的廉価の粉末部材に、少量例えば１〜５％のゲルマニュウム粉末を、混在させた焼結電極棒を使用することにより、コストアップを招くことなく、ゲルマニュウムによる治療効果を活用できる。
【００１２】
また、電極棒として、前記ゲルマニュウム粉末と炭素粉末を含む電極棒、前記ゲルマニュウム粉末と銀粉末を含む電極棒、及び前記ゲルマニュウム粉末とタングステン粉末を含む電極棒を備え、これらの電極棒の１つを、一方の電極として選択使用できるので、患部の相違、症状の相違等に、応じ多様な治療を行うことが出来る。
【考案を実施するための最良の形態】
【００１３】
以下、実施の形態により、この考案をさらに詳細に説明する。図１は、この考案の一実施形態であるアーク治療器の外観を示す側面図である。このアーク治療器は、本体部１と、本体部１より上方に立設され、上端に滑車４を有する柱２と、柱２に沿って上下に移動自在とした反射鏡３と、を備えている。反射鏡３はアーム６により、柱２に支持され、ア−ム６の中央部が糸５に結ばれ、この糸５によって、滑車４から吊り下げられている。
【００１４】
また、柱２には上下スイッチ７が設けられ、この上下スイッチ７は、スライドスイッチであって、「上」、「中」、「下」とスライド操作出来、「中」でＯＦＦ、「上」へ投入することにより、本体部１内に備えたモータ２４（図４参照）により滑車４を介して、糸５を引っ張り反射鏡３を上方に上げ、また「下」へ投入することにより、反射鏡３を下方に、下げるように構成している。
【００１５】
反射鏡３の球面部には、図２に示すように支持体２０が固着され、この支持体２０に設けられた保持部１８，１９に一対の電極棒１６，１７が保持されている。電極棒１６，１７は、図３に示すように支持体２０の先端に一体的に形成される保持板１８ａ（１９ａ）に電極棒１６（１７）を保持板１８ｂ（１９ｂ）で挟む態様で、ネジ２１で固定し、保持している。電極棒１６を保持部１８に装着するときは、ネジ２１，２１を取り外し、保持板１８ｂを保持板１８ａから取り外した状態で保持板１８ａの凹部２２ａに載置し、続いて保持板１８ｂの凹部２２ｂを電極棒１６に被せるように載せ、ネジ２１，２１を保持板１８ａ，１８ｂのネジ穴に通してネジ締めして止める。
【００１６】
図４は、この実施形態アーク治療器の回路接続図である。ＡＣ電源に接続するためのＡＣプラグ１１の一方端が電源スイッチ１２に接続され、他端が昇圧トランス１４の入力巻線に接続されている。電源スイッチ１２の他端はタイマ１３を介して昇圧トランス１４の入力巻線に接続されている。また上下スイッチ７の中点端子がＡＣ１００Ｖに接続されている。上下スイッチ７は、中点端より「上」側に投入される場合と、「下」側に投入される場合で、モータ２４がＡＣ電源に逆極性に接続されるように構成されている。タイマ１４は、電源スイッチ１２がＯＮされてから予め設定する時間の経過まで、トランス１４の入力巻線にＡＣ電圧を入力する。
【００１７】
昇圧トランス１４の出力巻線は、スライダック１５の両端に接続さている。スライダック１５の一方の固定端に保持部１９を介して電極棒１７が接続され、スライダック１５の摺動端が他方の保持部１８を介して電極棒１６に接続されている。
【００１８】
この実施形態アーク治療器は、電極棒１６，１７として使用するものを、選択使用出来るように、４種の電極棒を、備えている。図５に、この実施形態アーク治療器の製品で製品ケースに同梱する電極棒ケース２３の電極棒を示す。電極棒ケース２３の収納凹部２３ａ、・・・２３ｄには、それぞれ電極棒１６ａ、・・・、１６ｄが収納されている。電極棒の一つ１６ａは、治療に最高の効果を発生する銀の粉末９７％とゲルマニュウムの粉末３％を混入して焼結したものである。二つ目の電極棒１６ｂは、コスト面で優位なカーボン（炭素）の粉末９７％とゲルマニュウムの粉末３％を混入して焼結したものである。三つ目の電極棒１６ｃは、やや高価であるが消耗が遅いタングステンの粉末９７％とゲルマニュウムの粉末３％を混入して焼結したものである。そして四つめの電極棒１６ｄは、廉価なカーボン粉末を焼結したものである。
【００１９】
このアーク治療器において、治療に際しては、先ず４個の電極棒の中から２つの例えば上記の第１の電極棒１６ａと第４番目の電極棒１６ｄをそれぞれ保持部１８，１９に装着する。そして上下スイッチ７を操作して反射鏡３を患部の高さに合わして上下し調整する。上下スイッチ７を「中」とし、反射鏡３の高さを固定する。
【００２０】
次に、本体部１の電源スイッチ１２をＯＮしてアーク発生部の動作を開始する。ＡＣ１００Ｖが昇圧トランス１４で昇圧され、その高電圧がスライダック１５を介して電極棒１６，１７間に印加される。これにより、電極棒１６，１７にアーク電流が流れ、アークが発生する。このアークにより、生じた光は反射鏡３で反射されて患部に照射され、治療処理がなされる。アーク光の強度は、スライダック１５を摺動させて調整する。タイマ１３の設定時間の経過で、アーク発生は停止し、治療動作は終了する。
【００２１】
なお、上記実施形態では、種々の治療に対応出来るように、４種の電極棒を備えるものについて説明したが、目的に応じ、非常によく使用するものを予め装着しているものであってもよい。種々の電極棒は、ユーザが個別に選択購入し得るようにしてもよい。
【図面の簡単な説明】
【００２２】
【図１】この考案の一実施形態アーク治療器の外観を示す側面図である。
【図２】同実施形態アーク治療器の反射鏡を前面から見た状態を示す図である。
【図３】同実施形態アーク治療器の、図２で示すＡ−Ａで切断した断面図である。
【図４】同実施形態アーク治療器の回路接続を示す回路図である。
【図５】同実施形態アーク治療器で備える電極棒ケースに収納した電極棒を示す図である。
【符号の説明】
【００２３】
１                            本体部
２                            柱
３                            反射鏡
７                            上下スイッチ
１１                          ＡＣプラグ
１２                          電源スイッチ
１３                          タイマ
１４                          昇圧トランス
１５                          スライダック
１６，１７                    電極棒
１８，１９                    保持部
２０                          支持体
２３                          電極棒ケース
２４                          モータ
【図１】
0003110522.tif 000003
【図２】
0003110522.tif 000004
【図３】
0003110522.tif 000005
【図４】
0003110522.tif 000006
【図５】
0003110522.tif 000007